(57)【要約】【課題】インターロックを掛け忘れることがなく、安全装置により電動式マイクロホン装置の信頼性を向上できる電動式吊りマイクロホン装置を提供することにある。【解決手段】マイクロホンケーブル２２の巻き上げ及び繰り出しを行なう巻き取りドラムを有する巻き上げ機構２１を備え、前記マイクロホンケーブルを巻き上げ及び繰り出してマイクロホンを任意の位置に移動させる電動式吊りマイクロホン装置において、前記巻き上げ機構は、電動機３９と、この電動機と動力伝達機構を介して回転させ、前記マイクロホンケーブルを巻き上げ及び繰り出す巻き取りドラム３４と、前記動力伝達機構に設けられ、前記マイクロホンケーブルに一定以上の張力が加わったときスリップして前記巻き取りドラムを繰り出し方向に回転させるトルクリミッタ４８とを具備したことを特徴とする電動式吊りマイクロホン装置。【選択図】図１
2008141786.tif 000002
【特許請求の範囲】
【請求項１】
マイクロホンケーブルの巻き上げ及び繰り出しを行なう巻き取りドラムを有する巻き上げ機構を備え、前記マイクロホンケーブルを巻き上げ及び繰り出してマイクロホンを任意の位置に移動させる電動式吊りマイクロホン装置において、前記巻き上げ機構は、電動機と、この電動機と動力伝達機構を介して回転させ、前記マイクロホンケーブルを巻き上げ及び繰り出す巻き取りドラムと、前記動力伝達機構に設けられ、前記マイクロホンケーブルに一定以上の張力が加わったときスリップして前記巻き取りドラムを繰り出し方向に回転させるトルクリミッタとを具備したことを特徴とする電動式吊りマイクロホン装置。
【発明の詳細な説明】
【技術分野】
【０００１】
この発明は、劇場やスタジオ等に設置される電動式吊りマイクロホン装置に関する。
【背景技術】
【０００２】
劇場やスタジオ等においては、マイクロホンケーブルの巻き上げ及び繰り出しを行なう巻き取りドラムを有する巻き上げ機構を備え、マイクロホンケーブルを巻き上げ及び繰り出してマイクロホンを任意の位置に移動させる電動式吊りマイクロホン装置が設置されている。
【０００３】
電動吊りマイクロホン装置には、一点吊り、二点吊り、三点吊りなどがあり、三点吊りの電動式吊りマイクロホン装置においては、天井裏に３台の巻き上げ機構としての電動ウインチが設置され、３台の電動ウインチから滑車機構を介してマイクロホンケーブルが天井下方に吊られている。天井下方に吊られたマイクロホンケーブルの端末にはマイクロホン吊り金具に連結され、このマイクロホン吊り金具には１個もしくは複数個のマイクロホンが取り付けられる。
【０００４】
一方、劇場等の演出空間には、照明器具や緞帳などの幕類を懸垂するための吊り物装置を多数（数十本から数百本）有している。この吊り物装置は、照明器具や幕類など数十ｋｇ〜数千ｋｇの重量物を吊持するための鉄パイプを有している。この鉄パイプを演出空間では「バトン」と呼んでおり、このバトンの長さは３ｍ〜１５ｍを超える物であり、天井に横方向に掛け渡され、吊り物装置の駆動機構によって毎分数ｍ〜３０ｍ以上の速度で昇降する。この吊り物装置に対して前記電動式吊りマイクロホン装置は、数ｋｇのマイクロホン装置を毎分１０ｍ程度の速度で昇降させる装置である。
【０００５】
このように劇場等の演出空間においては、マイクロホン装置を昇降させる電動式吊りマイクロホン装置と照明器具や幕類等の吊り物を昇降させる吊り物装置が設備され、各装置が独立して駆動するようになっている。
【０００６】
歌舞伎やミュージカルなど吊りマイクロホン装置を使用しない演出では、吊りマイクロホン装置が演出の邪魔になるため、天井近くに格納する必要がある。すなわち、２点吊り及び３点吊りマイクロホン装置のマイクロホンケーブルの端末金具からマイクロホン吊り金具を取り外し、マイクロホンケーブルを電動ウインチによって巻き上げ、マイクロホンケーブル及び端末金具を天井近くに格納する必要があるため、端末金具からマイクロホン吊り金具を簡単に分離できるようになっている。
【０００７】
そして、マイクロホン装置を使用する際には、２点吊り及び３点吊りマイクロホン装置においては、各電動ウインチのドラムから２点吊りの場合には２本、３点吊りの場合には３本のマイクロホンケーブルを繰り出し、端末金具がフロア近くまで垂下したところで、端末金具にマイクロホン吊り金具を取付けた後、マイクロホン吊り金具にマイクロホンを装着する。その後、各電動ウインチによってドラムにマイクロホンケーブルを巻き取ることによってマイクロホンを任意の高さ及び位置に設置している。
【０００８】
ところが、マイクロホンを昇降させる操作の途中で、前述したバトンとマイクロホンケーブルやマイクロホン吊り金具とが接触する可能性がある。通常、バトンは大道具の係員が運転を担当し、音響の係員が吊りマイクロホン装置の運転を担当している。そして、大道具の係員と音響の係員とが互いに連絡を取り合って、吊りマイクロホン装置を運転（昇降）するときには、バトンを昇降させる他の吊り物装置の運転を拘束（インターロック）し、バトンを昇降させる時には吊りマイクロホン装置の運転を拘束するようにしてバトンとマイクロホンケーブル等との接触による事故を未然に防いでいる。
【発明の開示】
【発明が解決しようとする課題】
【０００９】
しかしながら、劇場等の演出空間においては、インターロックは手動で行なっているのが普通であり、手動式の場合、インターロックを掛け忘れたり、外し忘れることがあり、安全性の面及び操作性の面で問題があった。
【００１０】
この発明は、前記事情に着目してなされたもので、その目的とするところは、吊りマイクロホン装置を操作する際に、他の吊り物装置のインターロックが自動的に掛かり、安全性の面及び操作性の面で信頼性の高い電動式吊りマイクロホン装置を提供することにある。
【００１１】
また、この発明は、マイクロホンケーブルに外力によって一定以上の張力が加わったとき、その張力の方向にマイクロホンケーブルを繰り出してマイクロホンケーブルの切断及びマイクロホン吊り金具の破損を未然に防止することができる電動式吊りマイクロホン装置を提供することにある。
【課題を解決するための手段】
【００１２】
この発明は、前記目的を達成するために、マイクロホンケーブルの巻き上げ及び繰り出しを行なう巻き取りドラムを有する巻き上げ機構を備え、前記マイクロホンケーブルを巻き上げ及び繰り出してマイクロホンを任意の位置に移動させる電動式吊りマイクロホン装置において、前記巻き上げ機構は、電動機と、この電動機と動力伝達機構を介して回転させ、前記マイクロホンケーブルを巻き上げ及び繰り出す巻き取りドラムと、前記動力伝達機構に設けられ、前記マイクロホンケーブルに一定以上の張力が加わったときスリップして前記巻き取りドラムを繰り出し方向に回転させるトルクリミッタとを具備したことを特徴とする。
【発明の効果】
【００１３】
本発明の構成によれば、マイクロホンケーブルが他の吊り物装置等と接触してマイクロホンケーブルに一定以上の張力が加わったとき、トルクリミッタの作用によって巻き取りドラムが空転するため、マイクロホンケーブルに加わる負担を軽減でき、切断、破損を未然に防止できる。
【発明を実施するための最良の形態】
【００１４】
以下、この発明の実施の形態を図面に基づいて説明する。
【００１５】
図１（ａ）は３点吊りの電動式吊りマイクロホン装置の設置状態を示し、同図（ｂ）はマイクロホンケーブルの断面を示す。図１（ａ）に示す電動式マイクロホン装置２０は巻き上げ機構としての電動ウインチ２１を有しており、これらは天井裏の床面に適宜間隔で三点に設けられている。電動ウインチ２１にはマイクロホンケーブル２２が巻回されるが、同図（ｂ）に示すように、このマイクロホンケーブル２２は材質を例えばＳＵＳとする２本のテンションワイヤ２３が対称的に設けられ、このテンションワイヤ２３間には２本のマイクロホン接続ケーブル２４が設けられている。
【００１６】
そして、これらマイクロホン接続ケーブル２４及びテンションワイヤ２３がシース２５で覆われることにより、例えば直径を１０ｍｍとするマイクロホンケーブル２２を構成している。マイクロホンケーブル２２は、例えば８０ｋｇのように所定の荷重に耐えられる強度を有している。
【００１７】
３本のマイクロホンケーブル２２はそれぞれ天井裏に設けられた電動繰り出し式天井貫通滑車機構２６を介して天井を貫通し、天井下方に吊られており、これらマイクロホンケーブル２２の端部には端末金具２７が設けられ、この端末金具２７にはマイクロホン吊り金具２８が着脱可能に取り付けられている。マイクロホン吊り金具２８には１個もしくは複数個のマイクロホン２９が装着されている。
【００１８】
マイクロホン２９を移動させるためには巻き上げ機構としての電動ウインチ２１を駆動させ、３本のマイクロホンケーブル２２を巻き取りまたは繰り出す必要があるが、この電動ウインチ２１は、図２及び図３に示すように構成されている。
【００１９】
すなわち、基台３０には一対の軸受３１が互いに離間対向して設けられ、これら軸受３１には回転軸３２が回転自在に軸支されている。回転軸３２には巻き取りドラム３４が装着され、回転軸３２と一体に回転するようになっている。
【００２０】
巻き取りドラム３４は、巻き取り胴３５の両端にはフランジ３６が設けられているとともに、巻き取り胴３５の外周面にはその一端から他端に向かって連続的に螺旋状溝３７が設けられている。螺旋状溝３７は、その断面がマイクロホンケーブル２２の外径よりやや大きい曲率半径の半円形状であり、巻き取られるマイクロホンケーブル２２が螺旋状溝３７に収納され、巻回されたマイクロホンケーブル２２が巻き取り胴３５の軸方向に位置ずれしないようになっている。
【００２１】
基台３０の一端側には電動機取付け台３８が設けられ、この電動機取付け台３８には電動機３９が駆動軸４０を上向きに垂直に取り付けられている。電動機３９の隣側には駆動軸４０と離間して平行に従動軸４１が設けられている。駆動軸４０及び従動軸４１の上端部にはプーリ４２，４３が装着され、これらプーリ４２，４３間にはベルト４４が掛け渡され、電動機３９の回転がプーリ４２，４３及びベルト４４を介して従動軸４１に伝達されるようになっている。
【００２２】
従動軸４１にはウォームギア４５が設けられ、前記巻き取りドラム３４の回転軸３２にはウォームギア４５と噛合するウォームホイール４６が設けられ、減速機構４７を構成している。この減速機構４７にはその入力側と出力側に一定以上のトルクが加わったときスリップするトルクリミッタ４８が設けられている。
【００２３】
このトルクリミッタ４８は、図４に示すように、回転軸３２に嵌合されるハブ４９を有しており、このハブ４９の一端にはフランジ５０が設けられている。ハブ４９にはこれを回転軸３２に固定するためのキー及び止めねじ５１が設けられている。ハブ４９にはブッシュ５２を介して前記ウォームホイール４６が嵌合されており、このウォームホイール４６の両側面にはハブ４９に嵌合された摩擦板５３ａ，５３ｂが面接合した状態に設けられている。
【００２４】
一方の摩擦板５３ａはその背面がフランジ５０に接合しており、他方の摩擦板５３ｂの背面にはハブ４９の軸方向に移動自在なプレート５４が接合されている。このプレート５４の反摩擦板５３ｂ側には皿ばね５５を介してハブ４９に螺合された調節ナット５６が設けられている。そして、この調節ナット５６の締め付けによって皿ばね５５を介して一対の摩擦板５３ａ，５３ｂがウォームホイール４６に弾性的に圧接されている。
【００２５】
従って、前記巻き取りドラム３４に加わるトルクが設定値以内であれば、ウォームギア４５の回転がウォームホイール４６を介してトルクリミッタ４８に伝達され、トルクリミッタ４８から回転軸３２を介して巻き取りドラム３４に伝達される。しかし、マイクロホンケーブル２２から巻き取りドラム３４に加わるトルクが設定値を超えると、トルクリミッタ４８の摩擦板５３ａ，５３ｂとウォームホイール４６との間でスリップし、ウォームホイール４６が回転しても、ハブ４９の軸上で空転し、その回転力は回転軸３２に伝達されない。従って、巻き取りドラム３４は停止したままで、マイクロホンケーブル２２を巻き上げることはなく、マイクロホンケーブル２２に一定以上の張力が加わらない。
【００２６】
また、電動機３９が停止し、マイクロホン吊り金具２８が所定の高さに設置されている状態で、何らかの外力によってマイクロホンケーブル２２に張力が加わってマイクロホンケーブル２２から巻き取りドラム３４に加わるトルクが設定値を超えると、トルクリミッタ４８の摩擦板５３ａ，５３ｂとウォームホイール４６との間でスリップし、巻き取りドラム３４がマイクロホンケーブル２２を繰り出し方向に回転するため、マイクロホンケーブル２２に一定以上の張力が加わらない。
【００２７】
次に、前記電動繰り出し式天井貫通滑車機構２６について説明すると、図５に示すように構成されている。ブラケット６１には電動機取付け台６２が設けられ、この電動機取付け台６２には電動機６３が駆動軸６４を上向きに垂直に取り付けられている。電動機６３の上方には駆動軸６４と平行に従動軸６５が設けられている。
【００２８】
駆動軸６４の上端部と従動軸６５の下端部にはプーリ６６，６７が装着され、これらプーリ６６，６７間にはベルト６８が掛け渡され、電動機６３の回転がプーリ６６，６７及びベルト６８を介して従動軸６５に伝達されるようになっている。従動軸６５にはウォームギア６９が設けられ、このウォームギア６９はウォームホイール７０が噛合されている。
【００２９】
一方、ブラケット６１には回転軸７２が貫通して回転自在に設けられている。回転軸７２の一端部には前記ウォームホイール７０が嵌着されている。さらに、回転軸７２には外力逃がし機構として、後述するワンウェークラッチ７３が設けられ、このワンウェークラッチ７３にはマイクロホンケーブル２２を掛け渡し、これを強制的に繰り出すための滑車７４が嵌着されている。
【００３０】
また、ブラケット６１には回動アーム７５を介して押し付けローラ７６と回動アーム７７を介してテンションローラ７８が設けられている。押し付けローラ７６はブラケット６１と回動アーム７５との間に張設したスプリング７９によって滑車７４に転接されており、マイクロホンケーブル２２を滑車７４に圧接して摩擦を増加することによりスリップするのを防止している。
【００３１】
テンションローラ７８はその回動アーム７７の枢支軸部に回動アーム７７の角度を検出する角度センサ８０を有しており、前記電動ウインチ２１と滑車７４との間のマイクロホンケーブル２２のテンションを検出し、その検出信号を電動機６３に入力して制御することにより一定のテンションに保つようになっている。
【００３２】
さらに、ブラケット６１には下方に突出するパイプ８１がＵボルト８２によって固定されている。このパイプ８１は天井構成部材等に取り付けられ、電動繰り出し式天井貫通滑車機構２６を垂直状態に支持している。このパイプ８１の内部はマイクロホンケーブル２２の挿通路として形成されている。パイプ８１の下端部にはケーブル繰り出しヘッド８３がパイプ８１の軸心を中心として回転自在に設けられている。このケーブル繰り出しヘッド８３の内部にはガイド滑車８４が回転自在に設けられており、ケーブル繰り出しヘッド８３のカバー部９４にはガイド滑車８４の凹溝に沿ってケーブル繰り出しスリット９５が設けられている。
【００３３】
前記ワンウェークラッチ７３は、図６（ａ）（ｂ）で示すように、回転軸７２に嵌合する外輪９６を有しており、外輪９６の内周部には周方向に等間隔に複数個の凹陥部９７が設けられている。凹陥部９７の内部における一端側にはテーパ面９７ａが設けられているとともに、ころ９８がスプリング９９によってテーパ面９７ａ方向に付勢されている。
【００３４】
従って、図６（ａ）に示すように、外輪９６が回転軸７２に対して矢印ａ方向に回転しようとすると、スプリング９９の作用によってころ９８がテーパ面９７ａ方向に移動して回転軸７２と外輪９６が噛み合い、楔作用によって回転軸７２が回転する。また、図６（ｂ）に示すように、外輪９６が回転軸７２に対して矢印ｂ方向に回転しようとすると、回転軸７２は外輪９６に対して相対的に逆方向に回転することになり、ころ９８がスプリング９９に抗してテーパ面９７ａと逆方向に移動して回転軸７２に対して外輪９６が空転する。
【００３５】
従って、ワンウェークラッチ７３によって滑車７４にマイクロホンケーブル２２を繰り出し方向のみ動力を伝達させ、巻き取り方向は空転させることができる。なお、ワンウェークラッチ７３に限定されず、滑車７４に摩擦板等を圧接し、マイクロホンケーブル２２に設定値以上の張力が加わったとき、つまり摩擦力以上のトルクが加わったときに滑車７４が回転してマイクロホンケーブル２２が繰り出される、外力逃がし機構を設けてもよい。
【００３６】
次に、前述のように構成された電動式吊りマイクロホン装置の安全装置について説明する。図７は安全装置の電気回路図を示し、交流電源１００はメインスイッチ１０１を介してマイクロホン昇降回路１０２に直列に接続されており、マイクロホン昇降回路１０２には天井裏に設置された３台の電動ウインチ２１の各電動機３９が並列に接続されている。
【００３７】
前記各電動機３９によって駆動される巻き取りドラム３４に巻回されたマイクロホンケーブル２２には前述したように２本のテンションワイヤ２３が内蔵されており、そのうち１本は信号線を兼ねている。そして、３本のマイクロホンケーブル２２のうち１本（２２ａ）には信号線に低電圧を供給する直流電源１０３が接続されて、マイクロホンケーブル２２ａの端末に接続された導電性の端末金具２７に低電圧が流れるようになっている。
【００３８】
３本のマイクロホンケーブル２２ａ，２２ｂ，２２ｃの端末金具２７が分離している場合、つまりマイクロホン吊り金具２８が取り付けられていないときには、他の２本のマイクロホンケーブル２２ｂ，２２ｃの信号線とは開放状態にあるが、端末金具２７にマイクロホン吊り金具２８を取り付けると、導電性を有するマイクロホン吊り金具２８を介して３本のマイクロホンケーブル２２ａ，２２ｂ，２２ｃの信号線が電気的に導通状態になるように構成されている。そして、この信号線の開放または導通を電気的信号として吊りマイクロホン装置とは別のバトン昇降装置１０４に入力するようになっている。
【００３９】
バトン昇降装置１０４は、照明器具や緞帳などの幕類を懸垂するためのバトン１０５と、このバトン１０５を昇降する電動機１０６とからなり、電動機１０６は交流電源１０７、メインスイッチ１０８、常閉の第１と第２のリレースイッチ１０９，１１０を介して直列に接続されている。第１及び第２のリレースイッチ１０９，１１０はマイクロホンケーブル２２ｂ，２２ｃの信号線と接続されている。
【００４０】
従って、バトン昇降装置１０４はメインスイッチ１０８をＯＮすると、常閉の第１と第２のリレースイッチ１０９，１１０を介して電動機１０６が駆動し、バトン１０５を昇降させることができる。しかし、３本のマイクロホンケーブル２２ａ，２２ｂ，２２ｃの端末金具２７にマイクロホン吊り金具２８を取り付けると、マイクロホンケーブル２２ａからマイクロホン吊り金具２８を介して他の２本のマイクロホンケーブル２２ｂ，２２ｃの信号線に低電圧が流れる。
【００４１】
従って、マイクロホン吊り金具２８を介して３本のマイクロホンケーブル２２ａ，２２ｂ，２２ｃの信号線が電気的に導通状態になり、信号線を介して常閉の第１と第２のリレースイッチ１０９，１１０がＯＦＦとなり、メインスイッチ１０８をＯＮしても、バトン昇降装置１０４の電動機１０６が駆動しないインターロック状態となる。
【００４２】
このような安全装置を設けることにより、マイクロホン吊り金具２８を昇降させる際、あるいはマイクロホン吊り金具２８を所定の高さに設置した後に、バトン１０５を昇降させ、バトン１０５がマイクロホンケーブル２２やマイクロホン吊り金具２８に接触してマイクロホンケーブル２２を切断したり、マイクロホン金具２８を破損させる事故を未然に防止できる。
【００４３】
なお、前記実施形態においては、３点吊りの電動式吊りマイクロホン装置に安全装置を設けた場合について説明したが、複数点吊りの電動式吊りマイクロホン装置についても適用できる。
【図面の簡単な説明】
【００４４】
【図１】この発明の第１の実施形態を示し、（ａ）は電動式吊りマイクロホン装置の設置状態を示す斜視図、（ｂ）はマイクロホンケーブルの断面図。
【図２】同実施形態の電動ウインチの平面図。
【図３】同実施形態の電動ウインチの側面図。
【図４】同実施形態のトルクリミッタの横断平面図。
【図５】同実施形態を示し、電動繰り出し式天井貫通滑車機構の側面図。
【図６】（ａ）（ｂ）は同実施形態のワンウェークラッチの一部を示す断面図。
【図７】同実施形態の電気回路図。
【符号の説明】
【００４５】
２１…電動ウインチ
２２…マイクロホンケーブル
２８…マイクロホン吊り金具
３９…電動機
【図１】
2008141786.tif 000003
【図２】
2008141786.tif 000004
【図３】
2008141786.tif 000005
【図４】
2008141786.tif 000006
【図５】
2008141786.tif 000007
【図６】
2008141786.tif 000008
【図７】
2008141786.tif 000009